(57)【要約】【課題】  可動する背板等を有するベッドにおいて、背板等の必要以上の可動を簡易にかつ低コストで規制して、傾斜部材の前倒れ等の不意の可動により使用者等が怪我をしないように、安全性を充分に高める。【解決手段】  ベッド１０は、フレーム１２と、このフレーム１２に支持される床板部材１４とを有し、この床板部材１４はフレーム１２に固定される固定腰部板１６と傾斜自在に可動する背板１８、大腿板２０、下腿板２２とから成っている。このベッド１０は、背板１８等の起立方向への変位を規制する起立規制手段３２を備えている。起立規制手段３２は、背板１８とフレーム１２に両端を固定されたスプリング３４及びこのスプリング３４の伸長を規制する紐状部材３６から成っている。【選択図】        図１
2008048916.tif 000002
【特許請求の範囲】
【請求項１】
フレームと前記フレームに支持される床板部材とを有し、前記床板部材は、傾斜機構により傾斜自在に可動する傾斜部材を備えたベッドにおいて、前記傾斜部材の起立方向への変位を規制する起立規制手段を備えていることを特徴とするベッド。
【請求項２】
請求項１に記載されたベッドにおいて、前記起立規制手段は、前記傾斜部材と前記フレームに両端を固定されたスプリングであることを特徴とするベッド。
【請求項３】
請求項１に記載されたベッドにおいて、前記起立規制手段は、前記傾斜部材と前記フレームに両端を固定されたスプリング及び前記傾斜部材と前記フレームに両端を固定され前記スプリングの所定以上の伸長を規制する伸長規制部材とから成っていることを特徴とするベッド。
【請求項４】
請求項３に記載されたベッドにおいて、前記伸長規制部材は、紐状部材であることを特徴とするベッド。
【請求項５】
請求項３又は請求項４のいずれかに記載されたベッドにおいて、前記伸長規制部材は、前記スプリングの自然長よりも長い長さを有することを特徴とするベッド。
【請求項６】
請求項３乃至請求項５のいずれかに記載されたベッドにおいて、前記伸長規制部材は、コイル状の前記スプリングの内部を貫通して配置されていることを特徴とするベッド。
【請求項７】
請求項３乃至請求項６のいずれかに記載されたベッドにおいて、前記伸長規制部材の両端は前記スプリングの両端に取り付けられ、前記伸長規制部材は前記スプリングの両端を介して前記傾斜部材と前記フレームに取り付けられていることを特徴とするベッド。
【請求項８】
請求項２乃至請求項７のいずれかに記載されたベッドにおいて、前記スプリングは、可撓性を有することを特徴とするベッド。
【請求項９】
請求項２乃至請求項８のいずれかに記載されたベッドにおいて、前記起立規制手段は、前記スプリングを覆うカバーを有していることを特徴とするベッド。
【請求項１０】
請求項１に記載されたベッドにおいて、前記起立規制手段は、前記傾斜部材と前記フレームに両端を固定された紐状部材であることを特徴とするベッド。
【請求項１１】
請求項３乃至請求項１０のいずれかに記載されたベッドにおいて、前記伸長規制部材又は前記紐状部材は、前記傾斜部材が前記傾斜機構により最大に傾斜した状態で最も伸長した状態となる長さを有していることを特徴とするベッド。
【請求項１２】
請求項１乃至請求項１１のいずれかに記載されたベッドにおいて、前記傾斜部材が、使用者の上体に相当する部分に配置される背板であることを特徴とするベッド。
【請求項１３】
請求項１乃至請求項１２のいずれかに記載されたベッドにおいて、前記傾斜部材は、手すりを備えていることを特徴とするベッド。
【請求項１４】
請求項１乃至請求項１３のいずれかに記載されたベッドにおいて、前記傾斜機構は、前記フレームに取り付けられ先端にロールを有する揺動アームを備え、前記傾斜部材は、前記揺動アームにより下方から押し上げられて傾斜自在に設置されていることを特徴とするベッド。
【発明の詳細な説明】
【技術分野】
【０００１】
本発明は、介護用等に使用される傾斜して起立可能な背板等の可動する傾斜部材を備えたベッドの改良に関し、特に、傾斜部材の必要以上の可動により使用者等が怪我をしないように安全性を高めることに関するものである。
【背景技術】
【０００２】
例えば、お年寄りや障害を持たれた方が使用するベッドにおいては、寝た状態から体を簡易に起こすことができるように、傾斜状に起立する背板や大腿板を備えたベッドが使用される。
【０００３】
このような傾斜自在に可動する傾斜部材を備えたベッドにおいては、一般に、フレームに支持された床板部材のうち、使用者の腰部に相当する部分に配置される腰部板が起立しないようにフレーム固定され、この腰部より頭部側に位置する背板及び腰部より足先側に位置する大腿板等がヒンジ等の揺動機構によりフレームに揺動自在に取り付けられ、この揺動自在な背板等を先端にロールを有する揺動アーム等の傾斜機構により下方から押し上げて、背板等がフレームから離反するように上昇して傾斜する（例えば、特許文献１参照）。
【０００４】
しかし、この揺動アームは、背板等の傾斜部材を、下方から押し上げて傾斜させるものであるため、使用者がベッドに腰掛けて背板にもたれかかるようにして背板の表面側から床面側へ負荷された荷重は充分に適切に支持することができる一方、背板の上昇方向への揺動を規制することはできないため、背板等は、上昇方向へは、いわば自由状態で揺動することができ、フレームに対して直立状態、あるいは、直立状態よりも更に腰部板側へ傾斜して前傾状態となっってしまうおそれがある。
【０００５】
そのため、使用者が、自由状態で腰部板側へ必要以上に前傾した背板等の荷重を受けたり、場合によっては、腰部板と背板との間に挟まれる等して、思わぬ怪我をするおそれがある。特に、このような傾斜自在に可動する傾斜部材を備えたベッドは、一般に、介護等に使用されるため、使用者が着座や起立をしやすいように、背板には手すりが設けられていることが多く、この手すりにより、誤って腰部板側へ荷重をかけてしまい、背板等の必要以上の揺動を招き、背板等が前倒れ状態となるおそれがある。このような事態は、可動する傾斜部材を備えたベッドが、主にお年寄りや体が不自由な方が使用されることが多いことを考慮すると、少しでも回避する必要性が高い。
【０００６】
この場合、上記の揺動アームではなく、シリンダー等の、それ自体が伸長に制限のある機構により背板等の傾斜部材を傾斜させることも考えられるが、ベッド１０の背板等は、通常は、フレーム上に載置して使用されるために、最も収縮した状態でもある程度の固有長を有するシリンダーでは、フレームと背板等の傾斜部材との間に設置することが困難である。また、これらのベッド１０は、できる限り軽量化するため、枠体と網部とから成るフレームが使用されることが多いが、シリンダーを使用すると、重量が嵩む上に、コストも高騰する問題が生じる。
【特許文献１】特開平９−９４２７１号公報
【発明の開示】
【発明が解決しようとする課題】
【０００７】
本発明が解決しようとする課題は、上記の問題点に鑑み、傾斜部材の必要以上の可動を簡易にかつ低コストで規制して、傾斜部材の前倒れ等の不意の可動により使用者等が怪我をしないように、安全性を充分に高めることができるベッドを提供することにある。
【課題を解決するための手段】
【０００８】
本発明は、上記の課題を解決するための第１の手段として、フレームとこのフレームに支持される床板部材とを有し、この床板部材は、傾斜機構により傾斜自在に可動する傾斜部材を備えたベッドにおいて、傾斜部材の起立方向への変位を規制する起立規制手段を備えていることを特徴とするベッドを提供するものである。
【０００９】
本発明は、上記の課題を解決するための第２の手段として、上記第１の解決手段において、起立規制手段は、傾斜部材とフレームに両端を固定されたスプリングであることを特徴とするベッドを提供するものである。
【００１０】
本発明は、上記の課題を解決するための第３の手段として、上記第１の解決手段において、起立規制手段は、傾斜部材とフレームに両端を固定されたスプリング及び傾斜部材とフレームに両端を固定されスプリングの所定以上の伸長を規制する伸長規制部材とから成っていることを特徴とするベッドを提供するものである。
【００１１】
本発明は、上記の課題を解決するための第４の手段として、上記第３の解決手段において、伸長規制部材は、紐状部材であることを特徴とするベッドを提供するものである。
【００１２】
本発明は、上記の課題を解決するための第５の手段として、上記第３又は第４のいずれかの解決手段において、伸長規制部材は、スプリングの自然長よりも長い長さを有することを特徴とするベッドを提供するものである。
【００１３】
本発明は、上記の課題を解決するための第６の手段として、上記第３乃至第５のいずれかの解決手段において、伸長規制部材は、コイル状のスプリングの内部を貫通して配置されていることを特徴とするベッドを提供するものである。
【００１４】
本発明は、上記の課題を解決するための第７の手段として、上記第３乃至第６のいずれかの解決手段において、伸長規制部材の両端はスプリングの両端に取り付けられ、伸長規制部材はスプリングの両端を介して傾斜部材とフレームに取り付けられていることを特徴とするベッドを提供するものである。
【００１５】
本発明は、上記の課題を解決するための第８の手段として、上記第２乃至第７のいずれかの解決手段において、スプリングは、可撓性を有することを特徴とするベッドを提供するものである。
【００１６】
本発明は、上記の課題を解決するための第９の手段として、上記第２乃至第８のいずれかの解決手段において、起立規制手段は、スプリングを覆うカバーを有していることを特徴とするベッドを提供するものである。
【００１７】
本発明は、上記の課題を解決するための第１０の手段として、上記第１の解決手段において、起立規制手段は、傾斜部材とフレームに両端を固定された紐状部材であることを特徴とするベッドを提供するものである。
【００１８】
本発明は、上記の課題を解決するための第１１の手段として、上記第３乃至第１０のいずれかの解決手段において、伸長規制部材又は紐状部材は、傾斜部材が傾斜機構により最大に傾斜した状態で最も伸長した状態となる長さを有していることを特徴とするベッドを提供するものである。
【００１９】
本発明は、上記の課題を解決するための第１２の手段として、上記第１乃至第１１のいずれかの解決手段において、傾斜部材が、使用者の上体に相当する部分に配置される背板であることを特徴とするベッドを提供するものである。
【００２０】
本発明は、上記の課題を解決するための第１３の手段として、上記第１乃至第１２のいずれかの解決手段において、傾斜部材は、手すりを備えていることを特徴とするベッドを提供するものである。
【００２１】
本発明は、上記の課題を解決するための第１４の手段として、上記第１乃至第１３のいずれかの解決手段において、傾斜機構は、フレームに取り付けられ先端にロールを有する揺動アームを備え、傾斜部材は、揺動アームにより下方から押し上げられて傾斜自在に設置されていることを特徴とするベッドを提供するものである。
【発明の効果】
【００２２】
本発明によれば、上記のように、背板等の傾斜部材の上昇による前傾を防止する起立規制手段を設けているため、誤って必要以上に前傾方向に引っ張られても背板等が前倒れすることがなく、安全性を高めることができる実益がある。
【００２３】
この場合、本発明によれば、上記のように、可撓性を有するスプリングや紐状部材により背板等の前倒れを防止しているため、背板等の床板部材を寝かした状態でも、起立規制手段を背板等の床板部材とフレームとの間に適切に収納することができると同時に、簡易な構造で軽量化、低コスト化を実現することができる実益がある。
【００２４】
特に、本発明によれば、上記のように、スプリングにより背板等の傾斜部材の傾斜を規制しているため、背板等の傾斜部材が、その自重により前倒れしにくい水平に近い状態の場合には小さな引っ張り力で足り、一方、この自重による影響が薄れる背板等の傾斜部材が垂直に近づくに連れた状態でスプリングにテンションが加わって大きな付勢力が働き、背板等の傾斜部材の傾斜状態に応じて、必要な引っ張り力を適切に効率良く発揮させることができる実益がある。
【００２５】
同様に、本発明によれば、上記のように、スプリングと、このスプリングの伸長を規制する紐状部材とにより、背板等の傾斜部材の傾斜を規制しているため、背板等が設定した高さまで傾斜してスプリングが伸びきった状態から更に前傾方向に引っ張られても、紐状部材により、それ以上のスプリングの伸長が抑制されるため、背板等の傾斜部材が前倒しになるのを確実に防止することができる実益がある。
【００２６】
この場合、紐状部材の両端を、スプリングの両端を介して、フレームや傾斜部材に固定して取り付けているため、スプリングを取り付けるだけで、同時に紐状部材も設置することができ、組み付けが容易となる実益がある。
【００２７】
また、本発明によれば、上記のように、スプリングにはカバーを設けてあるため、スプリングが収縮する際等に、スプリングに物体が挟まれることがなく、安全性がより高まる実益がある。
【発明を実施するための最良の形態】
【００２８】
本発明の実施の形態を図面を参照しながら詳細に説明すると、図１及び図２は、本発明のベッド１０を示し、このベッド１０は、フレーム１２と、このフレーム１２に支持される床板部材１４とを有している。
【００２９】
この床板部材１４は、図１及び図２に示すように、フレーム１２に固定される固定部材１４Ａと、傾斜自在に可動する傾斜部材１４Ｂとから成っている。具体的には、図示の実施の形態では、固定部材１４Ａは、使用者の腰部に相当する部分に固定して配置される固定腰部板１６であるのが示され、また、傾斜自在に可動する傾斜部材１４Ｂが、固定腰部板１６に対し傾斜自在に設けられ使用者の上体に相当する部分に配置される背板１８と、固定腰部板１６に対し傾斜自在に設けられた大腿板２０と、この大腿板２０に対して傾斜自在に設けられた下腿板２２であるのが示されている。
【００３０】
従って、図示の実施の形態のベッド１０では、図１及び図２に示すように、背板１８が傾斜して上昇することにより使用者はベッド１０に横たわったまま上体を簡易に起こすことができ、また、大腿板２０及び下腿板２２が、図１及び図２に示すように、その境界を頂点とするように屈曲するように傾斜することにより、使用者の下半身を支えることができ、特に、背板１８が傾斜した上体で、使用者の下半身が足方にずれるのを防止して、使用者の腰部が固定腰部板１６にフィットして、使用者に負担を掛けないように支持することができる。
【００３１】
なお、本発明においては、少なくとも一つの傾斜部材１４Ｂを有すれば、いずれの部材が傾斜自在かは特に問わない。このため、図示の実施の形態と異なり、必要に応じて、背板１８のみが傾斜自在に可動し、それ以外の部材はフレーム１２に固定された上体のベッド１０とすることもできる。
【００３２】
これらの固定腰部板１６と背板１８及び大腿板２０との間、また、大腿板２０と下腿板２２との間は、図３に示すように、ヒンジ２４等の適宜の揺動機構により連結することができ、また、傾斜自在に可動する傾斜部材１４Ｂの動力源は、電源や、機構による手動等の手段は、特に問わない。
【００３３】
また、これらのフレーム１２に対して揺動自在に設置された背板１８等の傾斜部材１４Ｂは、図１及び図２に示すように、傾斜機構２６により、上方に押し上げられて、傾斜することができる。この傾斜機構２６は、具体的には、図示の実施の形態では、図１及び図２に示すように、フレーム１２に揺動自在に取り付けられ、先端にロール３０を有する揺動アーム２８を備え、背板１８等の傾斜部材１４Ｂは、この揺動アーム２８により下方から押し上げられて傾斜自在に設置されている。
【００３４】
この揺動アーム２８は、背板１８等の傾斜部材１４Ｂが、水平状態にあるときは、横たわる配置され、図示しない駆動源により上方へ向けて揺動することにより、先端のロール３０が回転しながら床板１８等の傾斜部材１４Ｂの下面に当接して、上方に押し上げる。
【００３５】
なお、フレーム１２や固定部材１４Ａ、傾斜部材１４Ｂは、充分な強度を有する鋼等の金属製材料や木製材料等から形成することができる。更に、図示の実施の形態では、固定部材１４Ａ、傾斜部材１４Ｂの各々は、充分な強度を確保しつつ軽量化を図るため、金属製の枠体１４ａと、この枠体１４ａに支持され支持面を形成する金属製の網部１４ｂから形成されているのが示されているが、各部材の材質や形状には、特に限定はない。
【００３６】
本発明においては、ベッド１０には、図１及び図２に示すように、このようにして傾斜する背板１８等の傾斜部材１４Ｂの起立方向への変位を規制する起立規制手段３２を備えている。この起立規制手段３２は、図示の実施の形態では、図１、図２及び図４に示すように、傾斜部材１４Ｂである背板１８等とフレーム１２に両端を固定されたスプリング３４と、同じく傾斜部材１４Ｂである背板１８等とフレーム１２に両端を固定されスプリング３４の所定以上の伸長を規制する伸長規制部材３５とから成っている。
【００３７】
伸長規制部材３５は、図示の実施の形態では、紐状部材３６から成り、この紐状部材３６は、天然繊維又は合成繊維等から形成された可撓性を有する紐から形成され、背板１８等の傾斜部材１４Ｂの荷重を支持して、その変位を確実に防止することができる程度の強度に設定する。この強度設定は、紐状部材３６の材質や幅、太さ等の適切な設定により調整することができる。なお、紐状部材３６の断面形状は、充分な強度を確保することができれば、断面矩形状の幅広のものでも、断面が円形状、撚り合わせ等したのものでも、特に問わない。
【００３８】
一方、スプリング３４としては、具体的には、特に図４に示すように、収縮可能なコイル状のスプリング３４を使用することができる。また、このコイル状のスプリング３４は、少なくとも、揺動アーム２８により押し上げられた背板１８等の傾斜部材１４Ｂが設定した最大の傾斜角度となったときに、テンションが加わって背板１８等の傾斜部材１４Ｂをフレーム１２側へ戻す方向に付勢して、背板１８等の傾斜部材１４Ｂのそれ以上の上昇を規制するように、付勢力を調整する。もっとも、この場合、紐状部材３６をも併設する図４に示す実施の形態においては、コイル状のスプリング３４は、それ以上の伸長が許容される状態であっても良い。また、上記のスプリング３４の付勢力は、最低限、背板１８等の傾斜部材１４Ｂが最大傾斜角度となった場合にテンションが加わるように設定することが必要であり、より確実に背板１８等の傾斜部材１４Ｂの起立や前倒れを防止するためには、背板１８等の傾斜部材１４Ｂが最大傾斜角度よりもフレーム１２側に近い位置にある緩やかな傾斜角度においても、テンションが加わる設定とすることがより望ましい。
【００３９】
コイル状のスプリング３４は、上記の付勢力を確保するために、その自然長は、少なくとも、背板１８等の傾斜部材１４Ｂが最大傾斜角度となった場合におけるフレーム１２と背板１８等の傾斜部材１４Ｂとの間の距離よりも短く、より具体的には、コイル状のスプリング３４により背板１８等の傾斜部材１４Ｂにフレーム１２側への付勢力を働かせたい傾斜角度におけるフレーム１２と背板１８等の傾斜部材１４Ｂとの間の距離よりも、短く設定する。また、上記の付勢力を確保することが、コイル状のスプリング３４の材質は、特に問わない。
【００４０】
また、このコイル状のスプリング３４は、自由状態において、可撓性を有するように設定することが望ましい。即ち、コイル状のスプリング３４は、背板１８等の傾斜部材１４Ｂがフレーム１２上で水平状態となっている場合や、フレーム１２と背板１８等の傾斜部材１４Ｂとの間の距離がコイル状のスプリング３４の自然長よりも短く、テンションが加わっていない状態では、フレーム１２と背板１８等の傾斜部材１４Ｂとの間において、下方に撓んだ状態で設置される。
【００４１】
従って、背板１８等の傾斜部材１４Ｂをフレーム１２上で水平状態とした場合においては、コイル状にスプリング３４は、揺動してフレーム１２と床板部材１４との間で略水平状態となって横たわるようにして位置する揺動アーム２８と同様に、フレーム１２と床板部材１４との間に撓んで存在して、適切に収納することができる。これにより、起立規制手段３２が、背板１８等の傾斜部材の昇降の障害となることがない。
【００４２】
なお、紐状部材３６は、特に図４に示すように、このコイル状のスプリング３４の内部を貫通して配置されている。従って、紐状部材３６は、コイル状のスプリング３４の収縮に伴って、コイル状のスプリング３４の内部で緊張したり撓むことができる。
【００４３】
一方、コイル状のスプリング３４は、図１、図２及び図４に示すように、両端にフレーム１２や背板１８等の傾斜部材１４Ｂに取り付けられるフック３４ａを有し、この紐状部材３６は、このコイル状のスプリング３４の両端のフック３４ａに、両端が取り付けられている。即ち、紐状部材３６は、このコイル状のスプリング３４の両端を介して背板１８等の傾斜部材１４Ｂとフレーム１２に、その両端を固定して取付られる。これにより、コイル状のスプリング３４を設置するだけで、同時に紐状部材３６も設置することができるため、起立規制手段３２のベッド１０への組み付けが容易となる。
【００４４】
この紐状部材３６が取り付けられたコイル状のスプリング３４のベッドへの取付方法には、充分な取付強度を確保することができれば、特に限定はないが、一例として、下記の手段により行うことができる。具体的には、まず、フレーム１２側の端部の取付については、図５に示すように、コイル状のスプリング３４の取り付け方向に開口する略コの字状のブラケット３８を、その開口をコイル状のスプリング３４の取付方向に向けてフレーム１２に跨って取付け、ナット４０Ｂが締め付けられるボルト４０Ａを、このブラケット３８に貫通させて、ボルト４０Ａのボルト杆４０ａに、コイル状のスプリング３４のフック３４ａを係止させることにより、取り付けることができる。
【００４５】
この場合、コイル状のスプリング３４は、ボルト杆４０ａを枢軸として、揺動することができ、背板１８等の傾斜部材の様々な傾斜角度に追随して揺動することができる。この場合、このコイル状のスプリング３４の揺動が大きく上下にぶれないように、ブラケットの開口に位置するボルト杆４０ａには、スペーサ４２を取り付けることが望ましい。なお、これらの、ブラケット３８やスペーサ４２は、鋼等の金属製材料から形成することができる。また、このスプリング３４の一端は、図２に示すように、フレーム１２のうち、左右の枠体に跨って配置される亘り部材に取り付けることができる。
【００４６】
一方、コイル状のスプリング３４の背板１８等の傾斜部材１４Ｂ側の端部の取付については、図６に示すように、コイル状のスプリング３４の取り付け方向に開口する略コの字状のブラケット４４を、その開口をコイル状のスプリング３４の取付方向に向けて、傾斜部材１４Ｂの金属製の網部１４ｂを構成する桟材に跨って取付けた上で、このブラケット４４との間で傾斜部材１４Ｂの金属製の網部１４ｂを構成する桟材を挟み込む抑え部材４６を桟材に宛ってネジ４８で締め付けて、背板１８等の傾斜部材１４Ｂの金属製の網部１４ｂに固定する。次いで、図６に示すように、ナット４０Ｂが締め付けられるボルト４０Ａを、このブラケット４４に貫通させて、ボルト４０Ａのボルト杆４０ａに、コイル状のスプリング３４のフック３４ａを係止させることにより、取り付けることができる。なお、背板１８に確実に固定することができれば、スプリング３４の取付対象は、必ずしも、網部１４ｂには限定されず、枠体１４ａに取り付けることもできる。
【００４７】
この場合、フレーム１２側の端部と同様に、コイル状のスプリング３４は、ボルト杆４０ａを枢軸として、揺動することができ、背板１８等の傾斜部材の様々な傾斜角度に追随して揺動することができる。従って、図６に示すように、このコイル状のスプリング３４の揺動が大きく上下にぶれないように、同じくブラケットの開口に位置するボルト杆４０ａには、スペーサ４２を取り付けることが望ましい。この傾斜部材１４Ｂ側のブラケット４４も、鋼等の金属製材料から形成することができる。
【００４８】
なお、この場合、背板１８等の傾斜部材１４Ｂ側のフック３４ａは、図６（Ｂ）に示す状態において、下方側が床面側となる。このコイル状のスプリング３４には、床面側（下方側）に荷重が負荷されるため、図６（Ｂ）に示す２つのスペーサ４２のうち、少なくとも下方側のスペーサ４２は充分な強度を有する鋼等の金属製材料から形成すれば、上方側のスペーサ４２は、軽量化等を考慮して、樹脂製材料から形成することもできる。
【００４９】
上記のスプリング３４と紐状部材３６とを併設する実施の形態においては、紐状部材３６の長さは、コイル状のスプリング３４の自然長よりも長い長さに設定する。従って、紐状部材３６は、コイル状のスプリング３４にテンションが加わっていない状態では、図４（Ａ）に示すように、コイル状のスプリング３４の内部において撓んだ状態で配置されている。
【００５０】
その一方で、この紐状部材３６は、背板１８等の傾斜部材１４Ｂが傾斜機構２６である揺動アーム２８により最大に傾斜した状態（例えば、７０°の傾斜角度）で最も伸長した状態となる長さを有している。このため、紐状部材３６は、背板１８等の傾斜部材１４Ｂのそれ以上の変位を規制することができ、背板１８等の傾斜部材が起立したり前倒し状態となるのを抑制することができる。
【００５１】
この場合、コイル状のスプリング３４と紐状部材３６との相互関係としては、背板１８等の傾斜部材１４Ｂが最大傾斜角度に達する前の状態においては、専らコイル状のスプリング３４の付勢力により変位が規制され、背板１８等の傾斜部材１４Ｂが最大傾斜角度に達した後において、このコイル状のスプリング３４の付勢力に抗して、その付勢力よりも大きな引っ張り力が加わった場合においても、紐状部材３６が、コイル状のスプリング３４のそれ以上の伸長を抑制して、ひいては、背板１８等の傾斜部材１４Ｂの起立や前倒れを、より確実に防止する。
【００５２】
但し、本発明における起立規制手段３２は、図示したスプリング３４と紐状部材３６とを備えた形態には限定されず、伸長規制手段３５として、図示しない金属プレートやチェーン等を使用することもできる。また、これらのスプリング３４と紐状部材３６等の伸長規制手段３５とは、図示の実施の形態のように、紐状部材３６をコイル状のスプリング３４内部に配置して紐状部材３６をスプリング３４に取り付ける等して一体的、協動的に機能する形態には限定されず、各々の別々にフレーム１２や背板１８等の傾斜部材１４Ｂに図示しないブラケット等の適宜の取り付け手段により取り付けて、独立してそれぞれの機能を発揮させることもできる。
【００５３】
また、その他、スプリング３４に充分な剛性を付与し、背板１８等の傾斜部材１４Ｂを最大傾斜角度以上には変位しないように規制することができれば、伸長規制手段３５を設定することなくスプリング３４から形成することもできる。逆に、最大傾斜角度からのみの変位を規制できれば充分である場合には、紐状部材３６や図示しない金属プレート、チェーンのみから成る起立規制手段３２とすることもできる
【００５４】
なお、いずれの実施の形態であっても、コイル状のスプリング３４を設定した場合においては、特に図４に示すように、コイル状のスプリング３４を覆うカバー５０を設置することが望ましい。このカバー５０は、コイル状のスプリング３４の伸長及び収縮や撓みに充分に追随することができるよう、布製や樹脂製等のカバー５０とすることができる。このカバー５０により、スプリング３４が収縮する際等に、スプリング３４に物体が挟まれることがなく、安全性がより高まる。
【００５５】
また、上記のように、本発明では、起立規制手段３２により、背板１８等の傾斜部材１４Ｂの必要以上の変位を規制しているため、図１に示すように、ベッド１０の背板１８等に手すり５２を設け、使用者等が、この手すり５２を把持して起立等する際に、バッドの中央方向へ荷重を負荷しても、背板１８等が前倒れすることがなく、手すり５２を安全に使用して、手すり５２の設置目的をより適切に果たさせることができる。
【産業上の利用可能性】
【００５６】
本発明は、例えば、お年寄りや体が不自由な方の介護、あるいは、病気や怪我の治療等のために病院等において患者の療養に使用されるベッドに広く適用することができる。
【図面の簡単な説明】
【００５７】
【図１】本発明の起立規制手段が設けられたベッドの概略側面図である。
【図２】本発明の起立規制手段が設けられたベッドの概略斜視図である。
【図３】本発明のベッドに使用されるヒンジの拡大斜視図である。
【図４】本発明において使用されるスプリング及び紐状部材の側面図である。
【図５】図５は、本発明に使用されるスプリングのフレームへの取付状態を示し、同図（Ａ）はその斜視図、同図（Ｂ）はその側面図である。
【図６】図６は、本発明に使用されるスプリングの背板への取付状態を示し、同図（Ａ）はその斜視図、同図（Ｂ）はその側面図である。
【符号の説明】
【００５８】
１０  ベッド
１２  フレーム
１４  床板部材
１４Ａ  固定部材
１４Ｂ  傾斜部材
１４ａ  枠体
１４ｂ  網部
１６  固定腰部板
１８  背板
２０  大腿板
２２  下腿板
２４  ヒンジ
２６  傾斜機構
２８  揺動アーム
３０  ロール
３２  起立規制手段
３４  スプリング
３６  紐状部材
３８  ブラケット（フレーム側）
４０Ａ  ボルト
４０Ｂ  ナット
４０ａ  ボルト杆
４２  スペーサ
４４  ブラケット（傾斜部材側）
４６  抑え部材
４８  ネジ
５０  カバー
５２  手すり
【図１】
2008048916.tif 000003
【図２】
2008048916.tif 000004
【図３】
2008048916.tif 000005
【図４】
2008048916.tif 000006
【図５】
2008048916.tif 000007
【図６】
2008048916.tif 000008